(57)【要約】【課題】画像形成装置における定着装置から排紙部に至る記録紙の搬送路でのジャムを簡単、安価な構成で、容易に詰まった記録紙を取り出せるようにした画像形成装置を提供することが課題である。【解決手段】搬送路の本体側に、記録紙を搬送する搬送ローラ対と、本体側駆動源の駆動力を搬送ローラ対における駆動側ローラに伝える駆動力伝達機構と、搬送路側カバーの開閉動作によって駆動力伝達機構に接離し、本体側駆動源からの駆動力の伝達、切り離しを行うジョイント部とを設け、搬送路側カバーの開動作で駆動力伝達機構を本体側駆動源から切り離し、前記搬送ローラ対における駆動側ローラの自由回転を行えるようにした。【選択図】      図５
2004177819.tif 000002
【特許請求の範囲】
【請求項１】
記録紙を給紙部から像担持体上のトナー像の転写部に搬送し、該転写部から定着装置を経由して排出部に搬送する搬送路を備え、該搬送路の一部に設けた搬送路側カバーを開閉可能とした画像形成装置において、
前記搬送路は該搬送路の本体側に搬送ローラ対と、本体側駆動源の駆動力を前記搬送ローラ対の駆動側ローラに伝える駆動力伝達機構と、前記搬送路側カバーの開閉動作によって前記駆動力伝達機構に接離し、前記本体側駆動源からの駆動力の伝達、切り離しを行うジョイント部とを備え、前記搬送路側カバーの開動作で前記駆動力伝達機構を前記本体側駆動源から切り離し、前記搬送ローラ対の駆動側ローラの自由回転を行えるようにしたことを特徴とする画像形成装置。
【請求項２】
前記ジョイント部は一端を画像形成装置本体に軸支され、自由端に前記本体側駆動源からの駆動力を前記駆動力伝達機構に伝達する歯車と、該歯車と同軸に軸支され、前記歯車を前記駆動力伝達機構から離反させる方向に付勢させるスプリングを有し、前記搬送路側カバーの閉動作で押圧されて前記ジョイント部を回動させて前記歯車を前記駆動力伝達機構に噛み合わせるホルダーとからなることを特徴とする請求項１に記載した画像形成装置。
【請求項３】
前記ジョイント部は、前記搬送路側カバーの閉動作によって押圧されるスプリングで軸受け部を支持され、前記搬送路側カバーの開閉動作によって前記駆動力伝達機構に接離する歯車で構成したことを特徴とする請求項１に記載した画像形成装置。
【請求項４】
前記搬送ローラ対における駆動側ローラ軸の軸受け部を前記搬送路側カバーの閉動作によって押圧されるスプリングで支持すると共に、前記搬送ローラ対における駆動側ローラ軸に前記搬送路側カバーの開閉動作によって前記駆動力伝達機構に接離する歯車を設けて前記ジョイント部を構成したことを特徴とする請求項１に記載した画像形成装置。
【請求項５】
前記駆動側ローラは、前記記録紙における記録面とは逆側で記録紙と接して記録紙を搬送することを特徴とする請求項１に記載した画像形成装置。
【発明の詳細な説明】
【０００１】
【発明の属する技術分野】
本発明は電子写真方式を用いた複写機、プリンタ、ファクシミリ、それらの複合機などの画像形成装置に関し、特に、記録紙搬送路のジャムを容易に取り除くことができるようにした画像形成装置に関するものである。
【０００２】
【従来の技術】
電子写真方式を用いた複写機、プリンタ、ファクシミリ、それらの複合機などの画像形成装置においては、本体内部の給紙部に収容された記録紙を、像担持体上に形成されたトナー像を転写するための転写部から定着装置を経由して排出部に搬送するため、複数の搬送路や搬送用ローラが用いられ、これらの搬送路や搬送ローラにおいて、往々にして記録紙の紙詰まり（ジャム）が生じる。
【０００３】
こういった紙詰まりに対処する方法として特許文献１には、画像形成装置本体の一部を構成するカバーの開閉動作を記録紙搬送手段に伝達して詰まった記録紙を搬送し、容易に取り出せるようにした装置が示されている。また特許文献２、３には、開閉カバーにローラを取り付け、記録紙の紙詰まり時に通路を境にカバーを開けてジャム処理を行うようにした画像形成装置もある。
【０００４】
【特許文献１】
特開２０００−４４０８６公報
【特許文献２】
特開平８−２０２０９５号
【特許文献３】
特開平９−２９７４４０号
【０００５】
【発明が解決しようとする課題】
しかしながら特許文献１に示された画像形成装置は、搬送カバーから搬送ローラに駆動力を伝える構成が複雑であり、部品点数も多くなってコストアップになる。また特許文献２、３に示された画像形成装置の場合、フェースアップ時、画像面がゴムローラ側となり、ゴムローラにトナーが付着して画像が汚れる可能性がある。また、カバー側にゴムローラを付けることは、ローラ側への駆動力伝達機構が非常に複雑になり、カバー側が重量的にも重くなり、サービス面でもデメリットになっていた。
【０００６】
従って本発明においては、簡単、安価な構成で、容易に詰まった記録紙を取り出せるようにした画像形成装置を提供することが課題である。
【０００７】
【課題を解決するための手段】
そのため本発明に係る画像形成装置は、
記録紙を給紙部から像担持体上のトナー像の転写部に搬送し、該転写部から定着装置を経由して排出部に搬送する搬送路を備え、該搬送路の一部に設けた搬送路側カバーを開閉可能とした画像形成装置において、
前記搬送路は該搬送路の本体側に搬送ローラ対と、本体側駆動源の駆動力を前記搬送ローラ対の駆動側ローラに伝える駆動力伝達機構と、前記搬送路側カバーの開閉動作によって前記駆動力伝達機構に接離し、前記本体側駆動源からの駆動力の伝達、切り離しを行うジョイント部とを備え、前記搬送路側カバーの開動作で前記駆動力伝達機構を前記本体側駆動源から切り離し、前記搬送ローラ対の駆動側ローラの自由回転を行えるようにしたことを特徴とする。
【０００８】
このように本発明においては、駆動力伝達機構に接離して本体側駆動源からの駆動力の伝達、切り離しを行うジョイント部という簡単な構成で搬送ローラ対の駆動側ローラの自由回転を行えるようにしたから、前記特許文献１に示された画像形成装置のように、コストを必要とせずに容易に詰まった記録紙を排除することが可能となる。また搬送ローラ対は搬送路の本体側に設けたから、カバー側に搬送ローラ対における駆動側ローラを取り付けた場合に比較して搬送ローラ対における駆動側ローラへの駆動力伝達機構が非常に簡単で済むと共にカバーの重量も軽くなり、サービス面でもデメリットとなることがない。
【０００９】
そしてこのジョイント部は、
一端を画像形成装置本体に軸支され、自由端に前記本体側駆動源からの駆動力を前記駆動力伝達機構に伝達する歯車と、該歯車と同軸に軸支され、前記歯車を前記駆動力伝達機構から離反させる方向に付勢させるスプリングを有し、前記搬送路側カバーの閉動作で押圧されて前記ジョイント部を回動させて前記歯車を前記駆動力伝達機構に噛み合わせるホルダーとからなることを特徴とする。
【００１０】
このようにジョイント部を構成することにより、搬送路に詰まった記録紙が排出口から先端だけ出した状態で止まった場合、搬送路側カバーを閉めて本体側駆動力が搬送ローラ対における駆動側ローラに伝達される状態のまま記録紙を排出方向に引っ張っても、ジョイント部の歯車はホルダーの存在によって逃げ方向に動くため、歯車を壊すことなく記録紙を取り出すことができる。
【００１１】
またこのジョイント部は、前記搬送路側カバーの閉動作によって押圧されるスプリングで軸受け部を支持され、前記搬送路側カバーの開閉動作によって前記駆動力伝達機構に接離する歯車で構成しても、また、前記搬送ローラ対における駆動側ローラ軸の軸受け部を前記搬送路側カバーの閉動作によって押圧されるスプリングで支持すると共に、前記搬送ローラ対における駆動側ローラ軸に前記搬送路側カバーの開閉動作によって前記駆動力伝達機構に接離する歯車を設けて前記ジョイント部を構成してもよい。このようにすると、全く同様に搬送路側カバーを閉めて本体側駆動力が搬送ローラ対における駆動側ローラに伝達される状態のまま記録紙を排出方向に引っ張っても、ジョイント部の歯車がスプリングによって逃げ方向に動くため、歯車を壊すことなく記録紙を取り出すことができる。
【００１２】
さらに前記駆動側ローラは、前記記録紙における記録面とは逆側で記録紙と接して記録紙を搬送するようにすることにより、記録面にトナーが付着したりローラの押圧力で記録面を汚すということがなくなる。
【００１３】
【発明の実施の形態】
以下、図面に基づいて本発明の実施の形態を例示的に詳しく説明する。但し、この実施の形態に記載されている構成部品の寸法、材質、形状、その相対配置などは、特に特定的な記載がない限りはこの発明の範囲をそれのみに限定する趣旨ではなく、単なる説明例に過ぎない。
【００１４】
図１は本発明の実施の形態を示した画像形成装置の一例の概略断面図、図２は本発明に係る画像形成装置の排出部側搬送路側カバーを開いた状態を示した図、図３は同じく本発明に係る画像形成装置の排出部側搬送路のカバーを取り去った状態の正面図、図４は本発明に係る画像形成装置の排出部側搬送路に駆動力伝達をおこなうジョイント部と関連歯車を示した図、図５は本発明に係る画像形成装置の排出部側搬送路に駆動力伝達をおこなう歯車の構成状況一例を示した図、図６は本発明に係る画像形成装置の排出部側搬送路におけるカバーの斜視図、図７は本発明に係る画像形成装置の排出部側搬送路に駆動力伝達をおこなうジョイント部の他の実施例である。
【００１５】
図中１は本発明に係る画像形成装置、２は像担持体ドラム、３は中間転写体、４は帯電装置、５は露光装置、６、７、８、９は各色の現像装置、１０は中間転写体のクリーニング装置、１１は転写装置、１２は転写された記録紙の搬送装置、１３は定着装置、１４、１５、１６は記録紙の搬送ローラ対における駆動側ローラ、１７はフェースダウン式の記録紙排出部、１８は記録紙排出部側のカバー、１９はカバー１８の支点部、２０は記録紙搬送路の本体側カバー、２１はローラ１６を回転させるためのノブ、２２は穴、２３は本体歯車３２からの駆動力を歯車２５に伝えるため、ホルダー２４と共に軸２９で回転可能に支持された歯車２８と、本体側から立設された軸２７で回転可能に支持された歯車３１とを有したジョイント部で、このうちホルダー２４は、図示していないスプリングによって歯車２８と歯車２５の噛み合わせが外れる方向に力が加えられ、ジョイント部２３に対して回動できるようになっている。２６は歯車、３０はカバー１８に設けられた突起４０が当接するホルダー２４に設けられた突起当接部、３３はローラ１６を回転させる歯車３４に掛け渡したベルトでドライブされるローラ、３５はローラ１５を回転させる歯車、３６は歯車３５に掛け渡されたベルトでドライブされる歯車、４１、４２は記録紙の搬送路である。
【００１６】
なお以下の説明では、像担持体ドラム２の周りに各色の現像装置６、７、８、９を備え、形成した画像を中間転写体３に転写する形式のカラー画像形成装置を例に説明するが、本発明はこういった形式のカラー画像形成装置のみでなく、タンデム型のカラー画像形成装置やモノクロ画像形成装置にも応用できることは明らかである。また、記録紙の搬送路についても、定着装置１３で定着された記録紙を記録紙排出部１７に搬送する搬送路４１、４２の場合を例に説明するが、中間転写体３上のトナー像を転写装置１１によって転写する転写部へ、図示しない給紙カセットから送り込む搬送路においても全く同様に応用できることは明らかである。
【００１７】
最初に図１を用い、本発明に係る画像形成装置の一例の動作について簡単に説明する。この図１に示したカラー画像形成装置は、例えばイエロー、シアン、マゼンタ、ブラックなどに分割した画像を別々に形成して中間転写体３上に多重転写し、その後記録紙に転写する形式のカラー画像形成装置で、まず帯電装置４によって像担持体ドラム２を帯電し、露光装置５によってそれぞれの色に分けられた画像信号によって露光して潜像を形成する。そしてその潜像は、現像装置６〜９のうちの潜像が形成された色に対応した現像装置で現像されてトナー像となり、それが各色毎に繰り返されて中間転写体３に多重転写される。そして、全ての色のトナー像が中間転写体３に転写されると、図示しない給紙装置から記録紙が搬送されて転写装置１１により、記録紙上に中間転写体３上のトナー像が転写される。そして記録紙は、搬送装置１２によって定着装置１３に送られ、定着されて搬送ローラ対における駆動側ローラ１４、１５、１６により、搬送路４１、４２を介して記録紙排出部１７に送られる。
【００１８】
このように構成した本発明の画像形成装置において、搬送路４１、４２側のカバー１８は、図２に示したように支点部１９を中心にして開閉できるようになっており、この搬送路４１、４２で記録紙が詰まった場合、このカバー１８を開いて図３に示したローラ１６の軸に設けたノブ２１を回転させることで、本体側搬送路４１ａ、４２ａとローラ１５、１６の間に詰まった記録紙を取り除くことができるようになっている。そしてこのカバー１８には、図６に示したように、カバー側の搬送路４１ｂ、４２ｂと、突起４０とが設けられている。なおこの突起４０は、後で詳細に述べるように、図３における２２で示した穴を通し、ローラ１５、１６への本体側駆動力伝達を切り離すためのジョイント部２３に設けたホルダー２４の、突起当接部３０を押圧するためのものである。
【００１９】
そしてローラ１５、１６は、図２、図３に示した搬送路４１ａ、４２ａを左側面方向から見た斜視図図４、側面図図５で示したように、画像形成装置１の本体側駆動源で回転する歯車３２の駆動力が、ジョイント部２３に設けられた歯車３１、２８、歯車２５、２６、４３、４４、４５を介して歯車３４に伝えられ、また歯車４３から歯車３５に伝えられて、ローラ１６、ローラ１５が回転される。そして歯車３４、３５と、ローラ３３、３６に掛けられたベルトにより、ローラ３３、３６が回転される。
【００２０】
一方ローラ１５、１６への本体側駆動力伝達を切り離すためのジョイント部２３は、ホルダー２４と共に軸２９で回転可能に支持された歯車２８、本体側から立設された軸２７で回転可能に支持された歯車３１を有し、さらにこのうちホルダー２４は、図示していないスプリングによって歯車２８と歯車２５の噛み合わせが外れる方向に力が加えられ、ジョイント部２３に対して回動できるようになっている。そのため、カバー１８を外した状態である図４、図５の状態においては、このジョイント部２３が軸２７を中心に回動して歯車２８と歯車２５の噛み合わせを外し、本体側駆動源で回転する歯車３２の駆動力は歯車２５に伝えられずにローラ１５、１６はフリーになり、手動で回転できるようになっている。
【００２１】
そしてこのジョイント部２３は、図２、図６に示した搬送路側カバー１８を閉じたとき、カバー１８に設けた突起４０（図６）が穴２２（図３、図４）を通してホルダー２４の突起当接部３０を押し、軸２７を中心に回動して歯車２８が歯車２５と噛み合い、本体側駆動源で回転する歯車３２の駆動力が歯車２５に伝えられる。そのため、歯車２６、４３、４４、４５、３４、３５を介してローラ１５、１６が回転し、記録紙を搬送することができるようになる。なお、突起４０によるホルダー２４の突起当接部３０の押圧力が強すぎる場合、ホルダー２４は軸２９を中心に回動し、歯車２８への押圧力は緩和されるようになっている。またこのジョイント部２３の存在により、例えばカバー１８を閉めてジョイント部２３の歯車２８が歯車２５と噛み合っている状態で記録紙を排出方向に引っ張った場合、ローラ１５、１６の回転が歯車２５に伝えられるが、歯車２８が逃げ方向に動いて歯車２５と２８の噛み合わせが外れ、歯車を壊すことなく記録紙を取り出すことができる。
【００２２】
このように構成した画像形成装置において、搬送路４１、４２に記録紙が詰まった場合、前記したようにカバー１８を支点部１９を中心に回転させて開くと、カバー１８に設けられた突起４０によるジョイント部２３のホルダー２４における突起当接部３０への押圧力がなくなり、歯車２５と歯車２８の噛み合わせが外れて本体側駆動源で回転する歯車３２の駆動力は歯車２５に伝えられず、ローラ１５、１６は手動で回転できるようになる。そのため、図３に示したノブ２１を手で回転できるようになり、ローラ１５、１６を回転させることで、詰まった記録紙は容易に取り除くことができる。また、記録紙が排出口から先端だけ出した状態で詰まった場合、前記したようにカバー１８を閉めた状態で記録紙を排出方向に引っ張っても、歯車２５に伝えられたローラ１５、１６の回転は歯車２８が逃げ方向に動くため、歯車２５と２８の噛み合わせが外れて歯車を壊すことなく記録紙を取り出すことができる。
【００２３】
なお以上の説明では、本体側駆動源からの駆動力をローラ１５、１６へ伝達、切り離すためにジョイント部２３を用いたが、図７に示したような第２実施形態の構成でも同様な効果を得ることができる。すなわち図７において、７２は本体駆動源からの駆動力を伝える歯車、７３は搬送ローラ対における駆動側ローラ１５、１６へ駆動力を伝える歯車、７４は軸受け７５がスプリング７６、７７で支えられ、カバー７０を閉じたとき、このカバー７０に設けた突起７１で押されて歯車７２、７３と噛み合う歯車である。このように構成した第２実施形態では、カバー７０を閉じた状態では突起７１に軸受け７５が押されて歯車７４が歯車７２、７３と噛み合い、歯車７３を介して搬送ローラ対における駆動側ローラ１５、１６に駆動力が伝えられる。そして前記したように搬送路４１、４２に記録紙が詰まってカバー７０が開かれると、歯車７４の軸受け７５がスプリング７７に押されて歯車７４と歯車７２、７３の噛み合わせが外れ、ローラ１５、１６への駆動力伝達が切り離されて、ローラ１５、１６は自由に回転できるようになり、詰まった記録紙は容易に取り除くことができる。また、記録紙が排出口から先端だけ出した状態で詰まった場合、前記したようにカバー７０を閉めた状態で記録紙を排出方向に引っ張っても、歯車７３に伝えられたローラ１５、１６の回転は、歯車７４がスプリング７６に抗して逃げ方向に動くことが可能なため、歯車７３と７４の噛み合わせが外れて歯車を壊すことなく記録紙を取り出すことができる。
【００２４】
なお、この図７に示した構成は、本体駆動源からの駆動力を伝える歯車７２と搬送ローラ対における駆動側ローラ１５、１６側の歯車７４とに噛み合う歯車７４を離接させる機構であるが、この歯車７４を記録紙の搬送ローラ対における駆動側ローラの軸に設け、搬送ローラ対における駆動側ローラを直接駆動するようにしても良い。この場合は、図７に示した軸受け７５を搬送ローラ対における駆動側ローラの軸受けとし、この軸受け７５とスプリング７６、７７で構成される機構と、カバー７０に設ける突起７１を記録紙搬送路の逆側にも設けるようにする。このようにすることにより、カバー７０の開閉で搬送ローラ対における駆動側ローラそのものが直接フリーになり、詰まった記録紙を容易に取り出すことができると共に、カバー７０を閉めた状態で記録紙を排出方向に引っ張っても、歯車７４がスプリング７６に抗して逃げ方向に動くことが可能なため、歯車７３と７４の噛み合わせが外れて歯車を壊すことなく記録紙を取り出すことができる。
【００２５】
また以上の説明では、像担持体ドラム２の周りに各色の現像装置６、７、８、９を備え、形成した画像を中間転写体３に転写する形式のカラー画像形成装置を例に説明したが、前記したように本発明はこういった形式のカラー画像形成装置のみでなく、タンデム型のカラー画像形成装置やモノクロ画像形成装置にも応用できることは明らかである。また、記録紙の搬送路についても、定着装置１３で定着された記録紙を記録紙排出部１７に搬送する搬送路４１、４２の場合を例に説明したが、中間転写体３上のトナー像を転写装置１１によって転写する転写部へ、図示しない給紙カセットから送り込む搬送路においても全く同様に応用できることは明らかである。
【００２６】
【発明の効果】
以上記載の如く本発明によれば、駆動力伝達機構に接離して本体側駆動源からの駆動力の伝達、切り離しを行うジョイント部という簡単な構成で搬送ローラ対の駆動側ローラの自由回転を行えるようにしたから、前記特許文献１に示された画像形成装置のように、コストを必要とせずに容易に詰まった記録紙を排除することが可能となる。また搬送ローラ対は搬送路の本体側に設けたから、カバー側に搬送ローラ対における駆動側ローラを取り付けた場合に比較して搬送ローラ対における駆動側ローラへの駆動力伝達機構が非常に簡単で済むと共にカバーの重量も軽くなり、サービス面でもデメリットとなることがない。
【００２７】
またジョイント部の一端を画像形成装置本体に軸支し、自由端に本体側駆動源からの駆動力を前記駆動力伝達機構に伝達する歯車と、該歯車と同軸に軸支され、前記歯車を前記駆動力伝達機構から離反させる方向に付勢させるスプリングを設け、搬送路側カバーの閉動作で押圧されてジョイント部を回動させて前記歯車を前記駆動力伝達機構に噛み合わせるホルダーとから構成することにより、搬送路に詰まった記録紙が排出口から先端だけ出した状態で止まった場合、搬送路側カバーを閉めて本体側駆動力が搬送ローラ対における駆動側ローラに伝達される状態のまま記録紙を排出方向に引っ張っても、ジョイント部の歯車はホルダーの存在によって逃げ方向に動くため、歯車を壊すことなく記録紙を取り出すことができる。
【００２８】
同様にこのジョイント部を、前記搬送路側カバーの閉動作によって押圧されるスプリングで軸受け部を支持される歯車や、搬送ローラ対における駆動側ローラそのもので構成することにより、全く同様に搬送路側カバーを閉めて本体側駆動力が搬送ローラ対における駆動側ローラに伝達される状態のまま記録紙を排出方向に引っ張っても、ジョイント部の歯車がスプリングによって逃げ方向に動くため、歯車を壊すことなく記録紙を取り出すことができる。
【００２９】
さらに前記駆動側ローラは、前記記録紙における記録面とは逆側で記録紙と接して記録紙を搬送するようにすることにより、記録面にトナーが付着したりローラの押圧力で記録面を汚すということがなくなる。
【図面の簡単な説明】
【図１】本発明の実施の形態を示した画像形成装置の一例の概略断面図である。
【図２】本発明に係る画像形成装置の排出部側搬送路側カバーを開いた状態を示した図である。
【図３】本発明に係る画像形成装置の排出部側搬送路のカバーを取り去った状態の正面図である。
【図４】本発明に係る画像形成装置の排出部側搬送路に駆動力伝達をおこなうジョイント部と関連歯車を示した図である。
【図５】本発明に係る画像形成装置の排出部側搬送路に駆動力伝達をおこなう歯車の構成の一例を示した図である。
【図６】本発明に係る画像形成装置の排出部側搬送路におけるカバーの斜視図である。
【図７】本発明に係る画像形成装置の排出部側搬送路に駆動力伝達をおこなうジョイント部の他の実施例である。
【符号の説明】
２３  ジョイント部
２４  ホルダー
２５  歯車
２６  歯車
２７  軸
２８  歯車
２９  軸
３０  突起当接部
３１  歯車
３２  本体歯車
３３、３６  ローラ
３４、３５  歯車
４０  突起
４１、４２  搬送路
４３、４４、４５  歯車
【図１】
2004177819.tif 000003
【図２】
2004177819.tif 000004
【図３】
2004177819.tif 000005
【図４】
2004177819.tif 000006
【図５】
2004177819.tif 000007
【図６】
2004177819.tif 000008
【図７】
2004177819.tif 000009